(57)【要約】  【課題】  洗面台や浴室等に設置できる多機能水栓を提供すること。  【解決手段】  吐水機能の他に、超音波・水洗浄機能および／または銀イオンコート機能を有する。  【選択図】  図１
2006009273.tif 000002
【特許請求の範囲】
【請求項１】
吐水機能の他に、超音波・水洗浄機能および／または銀イオンコート機能を有することを特徴とする多機能水栓。
【請求項２】
超音波・水洗浄機能が、汚れを落とすために、対象物に水を与えながら超音波を照射するものである請求項１に記載の多機能水栓。
【請求項３】
銀イオンコート機能が、銀イオンが溶け込んだ水を用いて対象物を除菌・防臭コートするために、水中に銀イオンを発生させるものである請求項１または請求項２に記載の多機能水栓。
【請求項４】
洗面台に設けられる請求項１〜請求項３のいずれかに記載の多機能水栓。
【請求項５】
浴室に設けられる請求項１〜請求項３のいずれかに記載の多機能水栓。
【発明の詳細な説明】
【技術分野】
【０００１】
この発明は、多機能水栓に関するものである。
【背景技術】
【０００２】
例えばワイシャツやブラウスのえり・そでの汚れや、食べこぼしによる醤油やソースのシミなどは、洗濯機でも落ちにくく、また、部分洗い洗剤等を使ってブラッシングなどが行われても落ちにくいことから、超音波デバイスを発振させて得た超音波により衣類等を洗浄する超音波洗浄装置を組み込んだ洗濯機が例えば下記特許文献１に提案されている。
【０００３】
また、洗濯した直後は清潔な衣類にも、干している間や着ている間に雑菌が繁殖して、イヤな臭いの原因になっていることから、洗ってすすぐことで衣類を除菌・防臭コートするために、洗濯機に供給する水に銀イオン（Ａｇ+ ）を溶け込ますよう構成された銀イオン溶出ユニットが下記特許文献２に提案されている。
【０００４】
【特許文献１】特開２００３−１１７２８２公報
【特許文献２】特開２００１−２７６４８４号公報
【発明の開示】
【発明が解決しようとする課題】
【０００５】
しかし、例えばワイシャツについた前記シミのみを落としたい場合、わざわざ前記超音波洗浄装置を組み込んだ洗濯機を用いることなく簡易に落とせることができたり、前述したようなイオン溶出ユニットを洗濯機に接続することなく靴下等の衣類に抗菌処理を簡易に施せることができる機構が望まれる。
【０００６】
この発明は、上述の事柄に留意してなされたもので、その目的は、洗面台や浴室等に設置できる多機能水栓を提供することである。
【課題を解決するための手段】
【０００７】
本出願人は、前記課題を解消するにあたり、通常洗濯機が隣接して配置されることが多い洗面台に注目するとともに、洗面台の中でも、図６（Ａ）に示すように、例えばシャワヘッド７０が設置されたタイプのものに注目した。この洗面台の洗面ボールの周部面板７１〔図６（Ａ），（Ｂ），（Ｃ）参照〕には二つの貫通孔Ｈ，ｈが設けられており、これら二つの貫通孔Ｈ，ｈのうち湯水混合水栓Ｓが設けられている貫通孔Ｈとは別の、シャワーヘッド７０の保持部７２が設けられている貫通孔ｈに、前記保持部７２に代えて超音波・水洗浄機能と銀イオンコート機能を持つ装置を設置できるか否かを検討した。
かくして、この発明は、吐水機能の他に、超音波・水洗浄機能および／または銀イオンコート機能を有することを特徴とする多機能水栓を提供する。
【発明の効果】
【０００８】
この発明では、吐水機能の他に、超音波・水洗浄機能および／または銀イオンコート機能を有するので、例えばワイシャツについたシミのみを落としたい場合、わざわざ前記超音波洗浄装置を組み込んだ洗濯機を用いることなく簡易に落とせることができるとともに、銀イオンが溶け込んだ水で靴下等の衣類に抗菌処理を簡易に施すことができ、通常抗菌処理を施す必要のない衣類とは別に洗濯できるという利便性がある。
【発明を実施するための最良の形態】
【０００９】
以下、この発明の実施形態を、図を参照しながら説明する。なお、それによってこの発明は限定されるものではない。
【００１０】
図１〜図４は、洗面台の例えば洗面ボールの周部面板に設けたこの発明の一実施形態を示す。
図１〜図４において、１は、洗面台で、洗面ボール２の周部面板３には、前述した図６に示したような二つの貫通孔Ｈ，ｈが左右方向に適宜間隔を有して設けられている。これら二つの貫通孔Ｈ，ｈのうち、正面向かって右側の貫通孔Ｈには、図６に示したタイプの湯水混合水栓Ｓが設けられている。４は、湯水混合水栓Ｓに設けた操作部材（シングルレバー）で、洗顔、手洗いなどのために使用する混合水の温度および流量を調整するためのものである。そして、湯水混合水栓Ｓは、操作部材４のみが周部面板３の上面に露出する形で配置されている。
【００１１】
また、二つの貫通孔Ｈ，ｈのうち、正面向かって左側の貫通孔ｈには、通常の吐水機能の他に、超音波・水洗浄機能および／または銀イオンコート機能を備えた装置５が設けられている。前記超音波・水洗浄機能が、汚れを落とすために、対象物である例えばワイシャツのえりなど、汚れのひどい部分に水を与えながら超音波を照射するものであり、また、前記銀イオンコート機能が、銀イオンが溶け込んだ水に浸漬して例えば靴下などの対象物を除菌・防臭コートするために、給水中に銀イオンを発生させるものである。
【００１２】
前記装置５は、前記混合水を吐出する給水チューブ６と、例えばワイシャツのえりなど、汚れのひどい部分に供給する水を吐出する給水チューブ７と、洗面ボール２に溜める、銀イオンが溶け込んだ水を吐出する給水チューブ８とを有する。６ａは給水チューブ６の吐出口である。また、８ａは給水チューブ８の吐出口である。また、前記給水チューブ７は、先端（下流端）が二股の注水部７ａ，７ａとなっており、各注水部７ａ，７ａは先端にそれぞれ吐出口７ｂを有する。そして、これら給水チューブ６，７，８は、装置５のハウジング５ａ内に配管された状態で、前記貫通孔ｈに取り付けられた被覆管９内に挿通されている。前記給水チューブ６の上流端は、第１の電磁弁（図示せず）を介して、水栓本体Ｒから引き出された湯水混合水の流路を形成するパイプＰ〔図６（Ｃ）参照〕に接続されている。前記給水チューブ７の上流端は、湯水混合水栓Ｓに水を供給する水配管Ａ〔図６（Ｂ）参照〕を途中で分岐させてなる水・分岐管（図示せず）の下流端に、第２の電磁弁（図示せず）を介して接続されている。なお、前記給水チューブ７の上流端を、前記パイプＰを途中で分岐させてなる混合水・分岐管（図示せず）の下流端に接続してもよい。また、給水チューブ８の上流端は、銀イオン溶出ユニット（銀イオン水生成器）（図示せず）を介して、前記水・分岐管に接続されており、更に、銀イオン溶出ユニットは第３の電磁弁（図示せず）を介して前記水・分岐管に接続されている。なお、銀イオン溶出ユニットを介して、給水チューブ８の上流端を前記混合水・分岐管に接続してもよい。前記銀イオン溶出ユニットは、ケース内に２枚の板状電極が所定間隔を置いて配置されている。前記電極は、抗菌性を有する金属イオンのもとになる金属、すなわち、銀を含む。前記銀イオン溶出ユニットは、上述したように、給水チューブ８と前記水・分岐管（あるいは前記混合水・分岐管）との間に設けられる。
【００１３】
１０は、Ｔ字型の振動ホーンである。そして、前記注水部７ａ，７ａは、振動ホーン１０の両側に配置されており、ヘッド部１１の両側に水を注ぐよう構成されている。ヘッド部１１の直下には、ワイシャツのえりなどが載置されるトレイ１２が設けられている。そして、トレイ１２に載せたワイシャツのえりの汚れのひどい部分に、水を与えながら超音波が照射される。このとき注水部７ａ，７ａからでた水は、ハウジング５ａの前記吐出口７ｂ，７ｂに対応する位置に設けたスリット１５，１５を通って汚れのひどい部分に至る。
１３は、振動素子を含む加振部で、この加振部１３に前記振動ホーンが取り付けられている。そして、振動ホーン１０、加振部１３とから超音波デバイスが構成されるとともに、振動ホーン１０、加振部１３、トレイ１２、給水チューブ７および前記第２の電磁弁とから主として超音波・水洗浄部が構成されている。超音波デバイスは、配線を介して制御回路部（図示せず）に電気的に接続されている。前記制御回路部は超音波デバイスの超音波発振回路も含むものであり、ハウジング５ａ内に設けられる。また、ハウジング５ａの適所には、通常の吐水モード（混合水モード）、超音波・水洗浄モード、銀イオンコートモードのいずれかを選択可能な操作パネル（図示せず）が設けられており、超音波・水洗浄モードを選択した場合、前記操作パネルからの操作指令を受けて、前記制御回路部は前記超音波デバイスの駆動と前記第２の電磁弁の開閉を制御したり、また、前記第１の電磁弁あるいは第３の電磁弁の開閉を制御したりするよう構成されている。
【００１４】
而して、操作部材４を例えば混合水がでるように操作した上で、使用者が操作パネルの通常の吐水モードを選択すると、第２，３の電磁弁は閉じたまま第１の電磁弁が開かれ給水チューブ６を通って吐出口６ａから混合水を吐出させることができる。また、操作部材４を水がでるように操作した上で、使用者が操作パネルの超音波・水洗浄モードを選択すると、第１，３の電磁弁は閉じたまま第２の電磁弁が開かれ給水チューブ７を通って吐出口７ｂおよびスリット１５から水を吐出させることができるとともに、超音波デバイスを駆動させることができる。また、操作部材４を水がでるように操作した上で、使用者が操作パネルの銀イオンコートモードを選択すると、第１，２の電磁弁は閉じたまま第３の電磁弁が開かれ給水チューブ８を通って吐出口８ａから銀イオンが溶け込んだ水を吐出させることができる。
【００１５】
図５は、前記トレイ１２を二つに分割してトレイ部分１２ａ，１２ａを形成し、トレイ部分１２ａ，１２ａ間に形成される隙間２０に給水チューブ８の先端部８ｂを挿通させたこの発明の他の実施形態を示す。なお、図５において、図１〜図４で用いた符号と同一のものは同一または相当物である。
【００１６】
なお、上記実施形態では通常の吐水機能の他に、超音波・水洗浄機能および銀イオンコート機能を有するものを示したが、この発明は、通常の吐水機能の他に、超音波・水洗浄機能を有するもの、また、通常の吐水機能の他に、銀イオンコート機能を有するものにも適用できる。更に、この発明は浴室等にも適用できる。例えば浴室において銀イオンコート機能があると、浴槽に銀イオンが溶け込んだ水を流し込み、足を洗ったりでき、足の除菌・防臭に役立つ。
【図面の簡単な説明】
【００１７】
【図１】この発明の一実施形態を示す要部構成説明図である。
【図２】上記実施形態を示す要部斜視図である。
【図３】上記実施形態を示す斜視図である。
【図４】上記実施形態の使用状態を示す斜視図である。
【図５】この発明の他の実施形態を示す要部構成説明図である。
【図６】洗面台の洗面ボールの周部面板に設置されたシャワ装置を示し、（Ａ）は、シャワヘッドを示す断面図、（Ｂ）は、シングルレバー式の湯水混合水栓を正面側からみた図、（Ｃ）は、シングルレバー式の湯水混合水栓の断面図である。
【符号の説明】
【００１８】
５          装置
６，７，８  給水チューブ
１０        振動ホーン
１２        トレイ
１３        加振部
【図１】
2006009273.tif 000003
【図２】
2006009273.tif 000004
【図３】
2006009273.tif 000005
【図４】
2006009273.tif 000006
【図５】
2006009273.tif 000007
【図６】
2006009273.tif 000008